(57)【要約】【課題】モバイル型のプリンタとして使用することができるとともに、据え置き型のプリンタとしても使用することができるプリンタ装置を提供する。【解決手段】印刷ヘッドと、プラテンローラと、前記印刷ヘッドにより印刷される記録紙を給紙する給紙口と、前記記録紙を排紙する排紙口と、筐体に設けられたスライド部材と、を有し、前記スライド部材には、前記給紙口を塞ぐ給紙口カバーが設けられており、前記筐体に設けられた凹部に、外側より凸部が入ると、前記凸部により前記スライド部材が押されてスライドし、前記給紙口が開くことを特徴とするプリンタ装置により上記課題を解決する。【選択図】  図１９
2020049870.tif 000002
【特許請求の範囲】
【請求項１】
印刷ヘッドと、
プラテンローラと、
前記印刷ヘッドにより印刷される記録紙を給紙する給紙口と、
前記記録紙を排紙する排紙口と、
筐体に設けられたスライド部材と、
を有し、
前記スライド部材には、前記給紙口を塞ぐ給紙口カバーが設けられており、
前記筐体に設けられた凹部に、外側より凸部が入ると、前記凸部により前記スライド部材が押されてスライドし、前記給紙口が開くことを特徴とするプリンタ装置。
【請求項２】
前記筐体に設けられた前記給紙口カバーに接続されたフラッパーアームを更に有し、
前記筐体に設けられた凹部に、外側より凸部が入ると、前記凸部により前記フラッパーアームが押されて動き、前記フラッパーアームに接続された前記給紙口カバーが回動し、前記給紙口が開くことを特徴とする請求項１に記載のプリンタ装置。
【請求項３】
印刷ヘッドと、
プラテンローラと、
前記印刷ヘッドにより印刷される記録紙を給紙する給紙口と、
前記記録紙を排紙する排紙口と、
前記給紙口に回動可能な状態で取り付けられた前記給紙口を塞ぐ給紙口カバーと、
を有し、
前記給紙口カバーが、外側より凸部により押されることにより、前記給紙口カバーが回動し、前記給紙口が開くことを特徴とするプリンタ装置。
【請求項４】
印刷ヘッドと、
プラテンローラと、
前記印刷ヘッドにより印刷される記録紙を給紙する給紙口と、
前記記録紙を排紙する排紙口と、
筐体に回動可能な状態で取り付けられた前記給紙口を塞ぐ給紙口カバーと、
前記給紙口カバーを回動させるモータと、
筐体に設けられたスイッチと、
を有し、
前記筐体に設けられた凹部に、外側より凸部が入ると、前記凸部により前記スイッチが押され、前記モータが回転することにより前記給紙口カバーが回動し、前記給紙口が開くことを特徴とするプリンタ装置。
【請求項５】
請求項１から４のいずれかに記載のプリンタ装置と、
前記凸部を有する据え置きケースと、
を有することを特徴とする据え置き型プリンタ装置。
【請求項６】
前記プリンタ装置は、内部に電池を有するものであって、
前記電池が設置される電池設置用領域の電極端子と、前記据え置きケースの電極端子を接触させて、前記据え置きケースより前記プリンタ装置に電力を供給することを特徴とする請求項５に記載の据え置き型プリンタ装置。
【発明の詳細な説明】
【技術分野】
【０００１】
本発明は、プリンタ装置に関する。
【背景技術】
【０００２】
プリンタは、商店等のレジスタ、銀行等におけるＡＴＭ（Automated Teller Machine）やＣＤ（Cash dispenser）等の用途に幅広く用いられている。このようなプリンタでは、記録紙を搬送して印字を行なう。
【０００３】
プリンタ装置には、持ち運びが可能なモバイル型のプリンタや、固定した状態で使用する据え置き型のプリンタがある。
【先行技術文献】
【特許文献】
【０００４】
【特許文献１】特開平１０−２３５９５７号公報
【特許文献２】特開平１１−１９９１０２号公報
【発明の概要】
【発明が解決しようとする課題】
【０００５】
モバイル型のプリンタを据え置き型のプリンタとしても使用することができれば、量産効果により低コストでプリンタを製造することが可能となる。
【課題を解決するための手段】
【０００６】
本実施の形態の一観点によれば、印刷ヘッドと、プラテンローラと、前記印刷ヘッドにより印刷される記録紙を給紙する給紙口と、前記記録紙を排紙する排紙口と、筐体に設けられたスライド部材と、を有し、前記スライド部材には、前記給紙口を塞ぐ給紙口カバーが設けられており、前記筐体に設けられた凹部に、外側より凸部が入ると、前記凸部により前記スライド部材が押されてスライドし、前記給紙口が開くことを特徴とする。
【発明の効果】
【０００７】
本開示のプリンタ装置によれば、モバイル型のプリンタとして使用することができるとともに、据え置き型のプリンタとしても使用することができる。
【図面の簡単な説明】
【０００８】
【図１】モバイル型のプリンタの斜視図（１）
【図２】モバイル型のプリンタの斜視図（２）
【図３】モバイル型のプリンタの斜視図（３）
【図４】据え置き型のプリンタの斜視図（１）
【図５】据え置き型のプリンタの斜視図（２）
【図６】第１の実施の形態のプリンタ装置の斜視図（１）
【図７】第１の実施の形態のプリンタ装置の斜視図（２）
【図８】第１の実施の形態のプリンタ装置の斜視図（３）
【図９】第１の実施の形態のプリンタ装置の断面図（１）
【図１０】第１の実施の形態の据え置き型プリンタ装置の説明図（１）
【図１１】第１の実施の形態の据え置き型プリンタ装置の説明図（２）
【図１２】第１の実施の形態の据え置き型プリンタ装置の説明図（３）
【図１３】第１の実施の形態の据え置き型プリンタ装置の断面図
【図１４】第１の実施の形態の据え置きケースの説明図（１）
【図１５】第１の実施の形態の据え置きケースの説明図（２）
【図１６】第１の実施の形態のプリンタ装置の説明図（１）
【図１７】第１の実施の形態のプリンタ装置の説明図（２）
【図１８】第１の実施の形態のプリンタ装置の説明図（３）
【図１９】第１の実施の形態のプリンタ装置の説明図（４）
【図２０】第１の実施の形態のプリンタ装置の断面図（２）
【図２１】第１の実施の形態の据え置き型プリンタ装置の変形例１の説明図（１）
【図２２】第１の実施の形態の据え置き型プリンタ装置の変形例１の説明図（２）
【図２３】第１の実施の形態の据え置き型プリンタ装置の変形例１の説明図（３）
【図２４】第１の実施の形態の据え置き型プリンタ装置の変形例２の斜視図（１）
【図２５】第１の実施の形態の据え置き型プリンタ装置の変形例２の斜視図（２）
【図２６】第１の実施の形態のプリンタ装置の変形例１の説明図（１）
【図２７】第１の実施の形態のプリンタ装置の変形例１の説明図（２）
【図２８】第１の実施の形態のプリンタ装置の変形例１の説明図（３）
【図２９】第１の実施の形態のプリンタ装置の変形例１の説明図（４）
【図３０】第１の実施の形態のプリンタ装置の変形例１の説明図（５）
【図３１】第１の実施の形態のプリンタ装置の変形例１の説明図（６）
【図３２】第１の実施の形態のプリンタ装置の変形例２の説明図（１）
【図３３】第１の実施の形態のプリンタ装置の変形例２の説明図（２）
【図３４】第１の実施の形態のプリンタ装置の変形例２の説明図（３）
【図３５】第１の実施の形態のプリンタ装置の変形例２の説明図（４）
【図３６】第２の実施の形態のプリンタ装置の斜視図
【図３７】第２の実施の形態の据え置きケースの説明図
【図３８】第２の実施の形態の据え置き型プリンタ装置の説明図（１）
【図３９】第２の実施の形態の据え置き型プリンタ装置の説明図（２）
【図４０】第２の実施の形態の据え置き型プリンタ装置の説明図（３）
【図４１】第３の実施の形態のプリンタ装置の斜視図
【図４２】第３の実施の形態の据え置きケースの説明図
【図４３】第３の実施の形態の据え置き型プリンタ装置の説明図（１）
【図４４】第３の実施の形態の据え置き型プリンタ装置の説明図（２）
【図４５】第３の実施の形態のプリンタ装置の変形例の斜視図
【図４６】第３の実施の形態の据え置きケースの変形例の説明図
【図４７】第３の実施の形態の据え置き型プリンタ装置の変形例の説明図（１）
【図４８】第３の実施の形態の据え置き型プリンタ装置の変形例の説明図（２）
【発明を実施するための形態】
【０００９】
本発明を実施するための形態について、以下に説明する。尚、同じ部材等については、同一の符号を付して説明を省略する。
【００１０】
モバイル型のプリンタ（以下「モバイルプリンタ」）について、図１から図３に基づき説明する。図１は、蓋が開いた状態のモバイルプリンタの上面斜視図であり、図２は、蓋が閉じた状態の上面斜視図であり、図３は、底面斜視図である。
【００１１】
図１から図３に示されるように、モバイルプリンタは、プリンタの本体部１１と、本体部１１の上面に開閉可能な状態で接続された蓋１２とを有している。本体部１１の内部には、サーマルヘッド等の印刷ヘッド１３が設けられており、蓋１２にはプラテンローラ１４が回転可能に取り付けられている。また、本体部１１には、ロール状の記録紙２０が入れられる記録紙設置用領域（ホルダ）１５が設けられている。
【００１２】
モバイルプリンタは、持ち運びながら使用することができるように電池２１により駆動される。このため本体部１１の底面には、充電池等の電池２１が設置できるように、開口した電池設置用領域（ホルダ）１６が設けられている。ホルダ１６はバッテリー用のカバー１７により塞がれる。
【００１３】
ホルダ１５にロール状の記録紙２０を入れて蓋１２を閉じることにより、記録紙２０が入れられているホルダ１５を塞ぐことができる。記録紙２０に印刷をする際には、印刷ヘッド１３とプラテンローラ１４との間に記録紙２０が挟まれた状態で、プラテンローラ１４を回転させて、印刷ヘッド１３により記録紙２０に印刷をする。
【００１４】
プラテンローラ１４を回転させるための不図示モータの駆動や印刷ヘッド１３を駆動するための電力は、電池２１より供給される。モバイルプリンタは、持ち運びながら発券を行う携帯型の装置等に搭載されることがある。
【００１５】
次に、据え置き型プリンタ（以下「据え置きプリンタ」）について、図４及び図５に基づき説明する。図４は、蓋が開いた状態の据え置きプリンタの上面斜視図であり、図５は、蓋が閉じた状態の上面斜視図である。
【００１６】
図４及び図５に示される据え置きプリンタは、本体部３１と、本体部３１の上面に開閉可能な状態で接続された蓋３２とを有している。本体部３１の内部には、印刷ヘッド３３及び不図示のカッターが設けられており、蓋３２にはプラテンローラ３４が回転可能に取り付けられている。本体部３１には、ロール状の記録紙２０が入れられるホルダ３５が設けられている。
【００１７】
据え置きプリンタは固定した状態で使用するため、不図示の電源コンセントと接続するための電源ケーブル３６が設けられており、電源コンセントより供給された電力により駆動される。
【００１８】
据え置きプリンタにおいても、ホルダ３５にロール状の記録紙２０を入れて蓋３２を閉じることにより、ホルダ３５を塞ぐことができる。記録紙２０に印刷をする際には、印刷ヘッド３３とプラテンローラ３４との間に記録紙２０が挟まれた状態で、プラテンローラ３４を回転させて、印刷ヘッド３３により記録紙２０に印刷をする。
【００１９】
プラテンローラ３４を回転させるための不図示モータの駆動や印刷ヘッド３３を駆動するための電力は、電源コンセントより電源ケーブル３６を介し供給される。据え置きプリンタは固定した状態で長時間連続使用されるため、比較的大きな記録紙が用いられ、また重量のある電源部が設けられているため、モバイル型のプリンタと比べて大きくて重い。
【００２０】
ところで、モバイルプリンタも据え置きプリンタも記録紙２０に印字をするためのプリンタとして機能する部分は同じである。このため、モバイルプリンタに搭載される記録紙２０の径を大きくし、電池２１を容量の大きなものにすることにより、モバイルプリンタを据え置きプリンタとして使用することも考えられる。しかしながら、この場合、プリンタが大きく重くなるため、持ち運びが不便となり、モバイルプリンタの携帯性が損なわれてしまう。
【００２１】
このため、モバイルプリンタとしても、据え置きプリンタとしても使用することのできるプリンタが求められている。
【００２２】
〔第１の実施の形態〕
第１の実施の形態におけるプリンタ装置について説明する。本実施の形態におけるプリンタ装置はモバイルプリンタであり、モバイルプリンタを据え置きケースに取り付けることにより、据え置きプリンタとして使用することができる。
【００２３】
（プリンタ装置）
図６〜図８に示されるように、本実施の形態におけるプリンタ装置１００は、筐体１１０が略直方体のモバイルプリンタであり、正面１１０ａには記録紙が排出される排紙口１１１が設けられており、背面１１０ｂには記録紙を供給する給紙口１１２が設けられている。
【００２４】
モバイルプリンタとして使用する場合、給紙口１１２はプリンタ装置１００の内側から給紙口カバー１２１により塞がれており、プリンタ装置１００の内部にゴミ等が進入することを防いでいる。また、底面１１０ｃには、据え置きケースに設置する際に用いられる凹部１１３が設けられている。
【００２５】
プリンタ装置１００は、正面１１０ａの蓋１１４を開くことにより、筐体１１０の内部に記録紙を設置することができ、正面１１０ａには、蓋１１４を開くための開閉レバー１１５が設けられている。また、背面１１０ｂには、筐体１１０に設置されている電池を覆うバッテリーカバー１１６が取り付けられている。
【００２６】
図９に示される筐体１１０の内部には、サーマルヘッド等の印刷ヘッド１３３が設けられるとともに、プラテンローラ１３４が回転可能な状態で取り付けられており、ロール状の記録紙２０が入れられている。
【００２７】
また、プリンタ装置１００は、内部の電池設置用領域に充電池等の電池１３５が設置されており、電池設置用領域はバッテリーカバー１１６により塞がれている。
【００２８】
本実施の形態において、記録紙２０に印刷をする際には、印刷ヘッド１３３とプラテンローラ１３４との間に記録紙２０が挟まれた状態で、プラテンローラ１３４を回転させて、印刷ヘッド１３３により記録紙２０に印刷をする。印刷された記録紙は排紙口１１１より排紙される。尚、プラテンローラ１３４を回転させるための不図示モータの駆動や印刷ヘッド１３３を駆動するための電力は、電池１３５より供給される。
【００２９】
（据え置き型プリンタ装置）
プリンタ装置１００を設置する据え置きケース及び据え置きケースにプリンタ装置１００が取り付けられた据え置きプリンタについて説明する。本実施の形態では、図１０に示されるように、据え置きケース１５０にプリンタ装置１００を取り付けることにより据え置きプリンタとして使用可能となる。
【００３０】
据え置きケース１５０は、本体部１５１と排紙部１５２とを有している。図１１に示されるように、排紙部１５２は本体部１５１に回転軸１５３を中心に回動可能に取り付けられている。この状態で、図１２の破線矢印Ａに示すように排紙部１５２を回転軸１５３を中心に閉じる方向に回動させることにより、図１０に示される状態となり、据え置きケース１５０にプリンタ装置１００が取り付けられる。
【００３１】
図１３に示されるように、本体部１５１には、ロール状の記録紙１８０が入れられるホルダ１５５が設けられている。排紙部１５２には、印刷された記録紙を切断するためのカッター１５６及び記録紙を排紙する排紙口１５７が設けられている。据え置きプリンタでは移動しながらの使用を目的としないため、本体部１５１を大きくすることができ、径の大きな記録紙１８０を用いることができる。また、電力は電池ではなく、交流１００Ｖの電源より供給される。このため、不図示のＡＣ−ＤＣコンバータ等の電源部が搭載されている。
【００３２】
本実施の形態においては、据え置きケース１５０にプリンタ装置１００を取り付けることにより、後述するように給紙口カバー１２１が動き給紙口１１２が開く。据え置きプリンタ装置において印刷をする場合、図１３に示されるように、ホルダ１５５内の記録紙１８０は、給紙口１１２よりプリンタ装置１００に入り、印刷ヘッド１３３とプラテンローラ１３４に挟まれた状態で、プラテンローラ１３４により搬送されながら、印刷ヘッド１３３により印刷される。印刷された記録紙は排紙口１１１より排紙され、排紙部１５２の内部に入り、カッター１５６により切断された後、排紙口１５７より排紙される。
【００３３】
図１４及び図１５に基づき本体部１５１について説明する。図１４は、本体部１５１の斜視図であり、図１５は本体部１５１の側面の一部分を切断した状態の斜視図である。本体部１５１のホルダ１５５には、記録紙１８０の軸を支持する支持部１５８が設けられている。また、据え置きケース１５０のプリンタ装置１００が設置される設置面１６０には、２つの凸部１６１が設けられている。凸部１６１は、プリンタ装置１００の底面１１０ｃに設けられた凹部１１３に対応する位置に設けられている。
【００３４】
据え置きケース１５０にプリンタ装置１００を取り付ける際には、図１６に示される状態より設置面１６０の上方よりプリンタ装置１００を下ろす。これにより、図１７に示されるように設置面１６０とプリンタ装置１００の底面１１０ｃとが接触した状態となる。設置面１６０に設けられた凸部１６１は、プリンタ装置１００の底面１１０ｃに設けられた凹部１１３の中に入り込む。
【００３５】
図１８は、図１６の状態におけるプリンタ装置１００の内部を示す。図１８に示されるように、プリンタ装置１００の内部にはスライド部材１２０が設けられている。給紙口カバー１２１はスライド部材１２０の上側の一部分により形成されている。また、スライド部材１２０の下側には凸状の接触部１２２が設けられており、底面１１０ｃに設けられた凹部１１３にプリンタ装置１００の内側から入り込んでいる。スライド部材１２０の上端は巻きバネ１２３により下側に押されており、凹部１１３に凸部１６１が入っていない状態では、給紙口カバー１２１が給紙口１１２を塞いでいる。
【００３６】
本実施の形態においては、図１７に示されるように、設置面１６０に設けられた凸部１６１がプリンタ装置１００に設けられた凹部１１３の中に入り込むことにより、図１９に示されるように凸部１６１により凹部１１３内に入っている接触部１２２が押され、スライド部材１２０が巻きバネ１２３の復元力に抗い上にスライドする。図１９は、図１７の状態におけるプリンタ装置１００の内部を示す。
【００３７】
スライド部材１２０が上にスライドすることにより、給紙口カバー１２１も上にスライドするため、給紙口１１２が開き、図１３に示されるように記録紙１８０をプリンタ装置１００に給紙することが可能となる。尚、図１９に示される状態よりプリンタ装置１００を持ち上げると、図１８に示されるように凹部１１３の外に凸部１６１が出るため、巻きバネ１２３の復元力によりスライド部材１２０が押され下方向にスライドし、給紙口１１２が給紙口カバー１２１により塞がれるとともに、凹部１１３内に接触部１２２が入り込む。
【００３８】
上記においてはロール状の記録紙１８０を用いた場合について説明したが、据え置きケース１５０のホルダ１５５には、ロール状の記録紙１８０に代えて、図２０に示されるように折り畳まれたファンホールド紙１８１を設置することも可能である。
【００３９】
（据え置きケースの変形例）
据え置きケースの変形例について説明する。据え置きケースは、図２１に示される状態より図２２に示される状態となるように、排紙部１５２が破線矢印Ｂ方向に上側に回動するものであってもよい。図２３に示されるように、本体部１５１に排紙部１５２が回転軸１５４を中心に回動するように取り付けられており、破線矢印Ｂに示すように、排紙部１５２が上側に回動する。図２１は、排紙部１５２が閉じられている状態を示し、図２２及び図２３は、排紙部１５２が開いている状態を示す。
【００４０】
また、据え置きケースは、図２４及び図２５に示されるように、本体部と排紙部とが一体に形成され、プリンタ装置１００が入れられる開口部１５９が形成されているものであってもよい。図２４は、プリンタ装置１００が入れられる前の状態の据え置きケースを示し、図２５は、据え置きケースにプリンタ装置１００が入れられた状態を示す。このような構造の据え置きケースであっても、プリンタ装置１００を開口部１５９に入れることにより、据え置きプリンタとして用いることができる。尚、図２４及び図２５に示される変形例となる据え置きケースの上記以外の構成は、前述した据え置きケースと同様である。
【００４１】
（プリンタ装置の変形例）
次に、本実施の形態におけるプリンタ装置の変形例について説明する。
【００４２】
図２６〜図３１に示すプリンタ装置は、給紙口カバー１２１がスライドするのではなく、回動して開閉する構造のものである。図２６は、プリンタ装置が取り付けられる前の据え置きケースの断面図であり、図２７はプリンタ装置が取り付けられた据え置きケースの断面図である。図２８は、プリンタ装置が取り付けられる前の据え置きケースを正面側から見た内部の構造図であり、図２９はプリンタ装置が取り付けられた据え置きケースを正面側から見た内部の構造図である。図３０は、プリンタ装置が取り付けられる前の据え置きケースの側面側の内部の構造図であり、図３１は、プリンタ装置が取り付けられた据え置きケースの側面側の内部の構造図である。
【００４３】
図３０及び図３１に示されるように、給紙口カバー１２１の上側は回転軸１２４を中心に回動可能な状態でプリンタ装置に取り付けられている。給紙口カバー１２１の下側には、回転軸１２５を中心に回転可能な状態でフラッパーアーム１２６が取り付けられている。フラッパーアーム１２６の下側には凸状の接触部１２２が設けられており、プリンタ装置の底面に設けられた凹部１１３に入り込んでいる。
【００４４】
回転軸１２５の端部は、プリンタ装置１００の内部に設けられた開口溝１２７に入れられており、開口溝１２７内を移動することが可能である。スライド部材１２０の上端は巻きバネ１２８により下側に押されており、図２６、図２８、図３０に示されるように、プリンタ装置１００の凹部１１３に据え置きケース１５０の凸部１６１が入っていない状態では、給紙口カバー１２１が給紙口１１２を塞いでいる。
【００４５】
図２７、図２９、図３１に示されるように、設置面１６０に設けられた凸部１６１がプリンタ装置１００の底面１１０ｃに設けられた凹部１１３の中に入り込むことにより、凸部１６１により凹部１１３内の接触部１２２が押され、フラッパーアーム１２６が上に動き、回転軸１２５が開口溝１２７内を上方向に移動する。これにより、給紙口カバー１２１は、巻きバネ１２８の復元力に抗い回転軸１２４を中心に破線矢印Ｃ方向に回動し、給紙口１１２が開き、記録紙１８０をプリンタ装置１００に給紙することが可能となる。尚、図２７、図２９、図３１に示される状態よりプリンタ装置を持ち上げると、図２６、図２８、図３０に示されるように凹部１１３の外に凸部１６１が出るため、巻きバネ１２８の復元力によりフラッパーアーム１２６が下方向に移動し、給紙口１１２が給紙口カバー１２１により塞がれるとともに、凹部１１３内に接触部１２２が入り込む。
【００４６】
本実施の形態におけるプリンタ装置は、図３２〜図３５に示されるように、モータ１４０の駆動により給紙口カバー１２１が回動し、給紙口１１２が開くものであってもよい。図３２は、プリンタ装置が取り付けられる前の据え置きケースの正面側の内部の構造図であり、図３３は、プリンタ装置が取り付けられた据え置きケースの正面側の内部の構造図である。図３４は、プリンタ装置が取り付けられる前の据え置きケースの側面側の内部の構造図であり、図３５は、プリンタ装置が取り付けられた据え置きケースの側面側の内部の構造図である。
【００４７】
プリンタ装置は、モータ１４０、モータ１４０の回転を制御するスイッチ１４１、モータ１４０とスイッチ１４１とを電気的に接続する配線１４２、モータ１４０の回転を給紙口カバー１２１に伝達する伝達ギア１４３が設けられている。尚、スイッチ１４１は一つであってもよい。スイッチ１４１は、凹部１１３内に入った凸部１６１により押されて、オン、オフされる。モータ１４０の回転軸１４０ａにはギア１４４が接続されている。給紙口カバー１２１は回転軸１２４を中心に回動可能な状態で取り付けられており、回転軸１２４にはギア１４５が取り付けられ、ギア１４４と伝達ギア１４３、伝達ギア１４３とギア１４５は噛み合っている。
【００４８】
図３２及び図３４に示されるように、凹部１１３に据え置きケース１５０の凸部１６１が入っていない状態では、給紙口カバー１２１が給紙口１１２を塞いでいる。
【００４９】
図３３及び図３５に示されるように、設置面１６０に設けられた凸部１６１がプリンタ装置の底面１１０ｃに設けられた凹部１１３の中に入り込むことにより、凸部１６１によりスイッチ１４１が押され、回転軸１４０ａが回転する。回転軸１４０ａに取り付けられたギア１４４により、モータ１４０の回転は、ギア１４４、伝達ギア１４３を介し、ギア１４５に伝達される。これにより、給紙口カバー１２１は回転軸１２４を中心に破線矢印Ｄ方向に回動し、給紙口１１２が開き、記録紙１８０をプリンタ装置１００給紙することが可能となる。尚、図３３、図３５に示される状態よりプリンタ装置を持ち上げると、図３２、図３４に示されるように凹部１１３の外に凸部１６１が出るため、スイッチ１４１がオフとなり、給紙口カバー１２１が閉じる方向にモータが回転し、給紙口１１２が給紙口カバー１２１により塞がれる。
【００５０】
この変形例においては、モータ１４０の回転を制御する制御部１４６が設けられており、制御部１４６は、スイッチ１４１がオンになると、モータ１４０は給紙口カバー１２１が開く方向に所定量回転し、モータ１４０を停止する制御を行う。また、スイッチ１４１がオフになると、モータ１４０は給紙口カバー１２１が閉じる方向に所定量回転し、所定量回転した後にモータ１４０を停止する制御を行う。
【００５１】
〔第２の実施の形態〕
第２の実施の形態におけるプリンタ装置２００及び据え置きケース２５０にプリンタ装置２００が取り付けられた据え置きプリンタについて説明する。
【００５２】
プリンタ装置２００は、図３６に示されるように略直方体のモバイルプリンタであり、プリンタ装置１００と同様に、正面に記録紙が排出される排紙口が設けられているが、背面２１０ｂの給紙口となる部分に開閉可能な給紙口カバー２２１が設けられている。尚、プリンタ装置２００の印刷する機能の部分の構造は、第１の実施の形態におけるプリンタ装置１００と同様である。
【００５３】
図３７に示されるように、プリンタ装置２００の背面２１０ｂに対向する据え置きケース２５０の接触面２５０ａには、プリンタ装置２００の給紙口カバー２２１に対応する位置に排紙口２５１が設けられており、更に、排紙口２５１の上下には突起２５２が設けられている。上記の構造を除き、据え置きケース２５０は、第１の実施の形態における据え置きケース１５０と同様のものである。
【００５４】
本実施の形態においても、図３８に示されるように、プリンタ装置２００を据え置きケース２５０に取り付けることにより、据え置きプリンタとして使用できる。図３９に示されるように、プリンタ装置２００には給紙口カバー２２１が回転軸２２２を中心に回動可能な状態で取り付けられており、更に、プリンタ装置２００に設けられた巻きバネ２２３により給紙口カバー２２１が閉じられている。プリンタ装置２００を据え置きケース２５０に取り付けることにより、図４０に示されるように突起２５２により給紙口カバー２２１が内側に押されて巻きバネ２２３による復元力に抗い回転軸２２２を中心に回動して開き、給紙口２１２が開口する。給紙口２１２は、据え置きケース２５０の排紙口２５１と連通するものであり、据え置きケース２５０の内部のホルダ（不図示）に設置されている記録紙は、排紙口２５１、給紙口２１２を介し、プリンタ装置２００の内部に供給される。
【００５５】
〔第３の実施の形態〕
第３の実施の形態におけるプリンタ装置３００及び据え置きケース３５０にプリンタ装置３００が取り付けられた据え置きプリンタについて説明する。図４１に示されるようにプリンタ装置３００には電極端子３１１が設けられており、図４２に示されるように据え置きケース３５０には電極端子３５１が設けられている。プリンタ装置３００を据え置きケース３５０に取り付けることにより、図４３に示されるように電極端子３１１と電極端子３５１とが接触し、電極端子３１１及び電極端子３５１を介し、据え置きケース３５０よりプリンタ装置３００に電力が供給される。
【００５６】
据え置きケース３５０の内部にはＡＣ−ＤＣコンバータ３５３が設けられている。ＡＣ−ＤＣコンバータ３５３には電源ケーブル３５２を介して１００Ｖの交流の電力が供給され、ＡＣ−ＤＣコンバータ３５３により交流から直流に変換された電力が据え置きケース３５０に供給されるとともに、電極端子３１１及び電極端子３５１を介しプリンタ装置３００に供給され、プリンタ装置３００を駆動するための電力として用いられる。
【００５７】
本実施の形態は、図４４に示すように、据え置きケース３５０より供給された電力を、プリンタ装置３００に搭載された充電池１３５を充電するために用いてもよい。
【００５８】
（変形例）
本実施の形態においては、図４５に示されるように、据え置きケース３５０の接触面３５４に電池１３５の形状に対応した形状の突起部３５５を設け、突起部３５５に電極端子３５６を設けてもよい。この場合、図４６に示されるように、プリンタ装置１００は電池１３５及びバッテリーカバー１１６が外された状態で据え置きケース３５０に取り付けられる。ホルダ１１７には、搭載された電池１３５と接続する電極端子１１８が設けられている。
【００５９】
図４７に示されるように、電池１３５及びバッテリーカバー１１６が外されたホルダ１１７に突起部３５５を入れることにより、図４８に示される状態となる。図４８に示される据え置きケース３５０にプリンタ装置１００が取り付けられた状態では、図示はしないが、電極端子１１８は電極端子３５６と接触し、電極端子３５６及び電極端子１１８を介し、据え置きケース３５０よりプリンタ装置１００に電力が供給され、プリンタ装置１００を駆動することができる。
【００６０】
本実施の形態は、第１の実施の形態及び第２の実施の形態にも適用可能である。
【００６１】
以上、本発明の実施に係る形態について説明したが、上記内容は、発明の内容を限定するものではない。
【符号の説明】
【００６２】
１００      プリンタ装置
１１０      筐体
１１１      排紙口
１１２      給紙口
１１３      凹部
１１４      蓋
１１６      バッテリーカバー
１１７      電池設置用領域
１１８      電極端子
１２０      スライド部材
１２１      給紙口カバー
１２２      接触部
１２３      巻きバネ
１３５      電池
１５０      据え置きケース
１５１      本体部
１５２      排紙部
１５３      回転軸
１５５      記録紙設置用領域
１５７      排紙口
１５８      支持部
１６０      設置面
１６１      凸部
【図１】
2020049870.tif 000003
【図２】
2020049870.tif 000004
【図３】
2020049870.tif 000005
【図４】
2020049870.tif 000006
【図５】
2020049870.tif 000007
【図６】
2020049870.tif 000008
【図７】
2020049870.tif 000009
【図８】
2020049870.tif 000010
【図９】
2020049870.tif 000011
【図１０】
2020049870.tif 000012
【図１１】
2020049870.tif 000013
【図１２】
2020049870.tif 000014
【図１３】
2020049870.tif 000015
【図１４】
2020049870.tif 000016
【図１５】
2020049870.tif 000017
【図１６】
2020049870.tif 000018
【図１７】
2020049870.tif 000019
【図１８】
2020049870.tif 000020
【図１９】
2020049870.tif 000021
【図２０】
2020049870.tif 000022
【図２１】
2020049870.tif 000023
【図２２】
2020049870.tif 000024
【図２３】
2020049870.tif 000025
【図２４】
2020049870.tif 000026
【図２５】
2020049870.tif 000027
【図２６】
2020049870.tif 000028
【図２７】
2020049870.tif 000029
【図２８】
2020049870.tif 000030
【図２９】
2020049870.tif 000031
【図３０】
2020049870.tif 000032
【図３１】
2020049870.tif 000033
【図３２】
2020049870.tif 000034
【図３３】
2020049870.tif 000035
【図３４】
2020049870.tif 000036
【図３５】
2020049870.tif 000037
【図３６】
2020049870.tif 000038
【図３７】
2020049870.tif 000039
【図３８】
2020049870.tif 000040
【図３９】
2020049870.tif 000041
【図４０】
2020049870.tif 000042
【図４１】
2020049870.tif 000043
【図４２】
2020049870.tif 000044
【図４３】
2020049870.tif 000045
【図４４】
2020049870.tif 000046
【図４５】
2020049870.tif 000047
【図４６】
2020049870.tif 000048
【図４７】
2020049870.tif 000049
【図４８】
2020049870.tif 000050